(57)【特許請求の範囲】
【請求項１】
蒸散用有用物（32b）が保持された蒸散部材（36）を備え、空気通路（18）を流れる空気を上記蒸散部材（36）に通過させることで、上記蒸散用有用物（32b）を蒸散させて有用ガス成分を発生させる蒸散装置であって、
上記蒸散部材（36）には、蒸散用有用物（32b）の蒸散速度が異なる複数の蒸散領域（37,38）が形成され、
上記蒸散部材（36）のうち空気通路（18）に露出する各蒸散領域（37,38）の面積の割合を調節して、蒸散部材（36）の蒸散量を制御する蒸散量調節手段（40）を備えていることを特徴とする蒸散装置。
【請求項２】
請求項１において、
上記蒸散部材は、上記空気通路（18）から仕切られた収納空間（35）と該空気通路（18）との間に跨って配置された、回転自在な円板状の蒸散ロータ（36）で構成され、その側面に上記複数の蒸散領域（37,38）が形成されており、
上記蒸散量調節手段（40）は、上記蒸散ロータ（36）の回転角度位置を調節して、該蒸散ロータ（36）のうち空気通路（18）に露出する各蒸散領域（37,38）の面積の割合を調節することを特徴とする蒸散装置。
【請求項３】
請求項１又は２において、
上記蒸散量調節手段（40）は、上記蒸散部材（32,36）を通過する空気の温度に基づいて、蒸散部材（32,36）の蒸散量を制御することを特徴とする蒸散装置。
【請求項４】
請求項１又は２において、
上記蒸散量調節手段（40）は、上記蒸散部材（32,36）を通過する空気の風量に基づいて、上記蒸散部材（32,36）の蒸散量を制御することを特徴とする蒸散装置。
【請求項５】
請求項１又は２において、
上記空気通路（18）を流れる空気中の有用ガス成分濃度を検知する濃度検知手段（43,44）を備え、
上記蒸散量調節手段（40）は、上記濃度検知手段（43,44）の検知濃度に基づいて、上記蒸散部材（32,36）の蒸散量を制御することを特徴とする蒸散装置。
【請求項６】
請求項１乃至５のいずれか１つにおいて、
空気通路（18）内には、蒸散部材（32,36）の上流側に、室内の空調を行うために空気を温調する温調手段（22）が設けられていることを特徴とする蒸散装置。
【発明の詳細な説明】
【技術分野】
【０００１】
本発明は、蒸散部材に保持された蒸散用有用物から有用ガス成分を蒸散させる蒸散装置に関し、特に蒸散部材の蒸散量の制御対策に係るものである。
【背景技術】
【０００２】
従来より、香り成分、薬剤成分、殺菌成分等の有用ガス成分を蒸散させる蒸散装置が知られている。
【０００３】
例えば特許文献１の蒸散装置には、ケーシング内の空気通路に薬剤カートリッジと、ヒータとが設けられている。上記薬剤カートリッジには、有用ガス成分の発生源となる蒸散用有用物が充填されている。上記ヒータは、薬剤カートリッジの近傍に配置されており、薬剤カートリッジを加熱可能に構成されている。
【０００４】
この蒸散装置では、ヒータの加熱能力を調節し、薬剤カートリッジの周囲温度を調整することで、薬剤カートリッジで蒸散する蒸散用有用物の蒸散量を制御するようにしている。その結果、この蒸散装置からは、所望の濃度に調整された有用ガス成分が室内空間へ供給されることになる。
【特許文献１】特開平８−７１１３８号公報
【発明の開示】
【発明が解決しようとする課題】
【０００５】
上述の如く、特許文献１に示す蒸散装置では、ヒータの加熱能力を調節し、蒸散部材（薬剤カートリッジ）の蒸散量を制御するようにしている。しかしながら、この種のヒータでは、空気の温度制御の精度に限界があり、蒸散部材の蒸散量を高精度に制御することが困難である。また、ヒータでは、温度制御を開始してから充分な加熱能力が得られるまでの間に比較的長い時間を要することから、ヒータの立ち上がり時には蒸散部材の蒸散量が大きく変動してしまうという問題も生じる。更に、ヒータを用いると、蒸散装置の消費電力の増大を招くという問題もある。
【０００６】
本発明は、かかる点に鑑みてなされたものであり、その目的は、ヒータを用いることなく、蒸散部材の蒸散量を適切に制御することができる蒸散装置を提供することにある。
【課題を解決するための手段】
【０００７】
第１の発明は、蒸散用有用物（32b）が保持された蒸散部材（36）を備え、空気通路（18）を流れる空気を上記蒸散部材（36）に通過させることで、上記蒸散用有用物（32b）を蒸散させて有用ガス成分を発生させる蒸散装置を前提としている。そして、この蒸散装置は、上記蒸散部材（36）に、蒸散用有用物（32b）の蒸散速度が異なる複数の蒸散領域（37,38）が形成され、上記蒸散部材（36）のうち空気通路（18）に露出する各蒸散領域（37,38）の面積の割合を調節して、蒸散部材（36）の蒸散量を制御する蒸散量調節手段（40）をを備えていることを特徴とするものである。
【０００８】
第１の発明の蒸散部材（36）には、蒸散用有用物（32b）の蒸散速度が異なる複数の蒸散領域（37,38）が形成される。つまり、各蒸散領域（37,38）では、同一雰囲気の条件下において、単位面積当たりの蒸散用有用物（32b）の蒸散速度がそれぞれ異なる。そして、蒸散量調節手段（40）は、空気通路（18）を流れる空気に曝される各蒸散領域（37,38）の露出面積の割合を調節する。
【０００９】
具体的に、例えば蒸散部材（36）に蒸散速度が比較的早い第１蒸散領域（37）と、蒸散領域が比較的遅い第２蒸散領域（38）とを形成したとする。この場合、空気通路（18）に対する第１蒸散領域（37）の露出面積の割合を大きくすると、蒸散部材（36）から空気通路（18）側へ蒸散する蒸散用有用物（32b）の量が増加する。一方、空気通路（18）に対する第２蒸散領域（38）の露出面積の割合を大きくすると、蒸散部材（36）から空気通路（18）側へ蒸散する蒸散用有用物（32b）の量が減少する。
【００１０】
第２の発明は、第１の発明において、上記蒸散部材は、上記空気通路（18）から仕切られた収納空間（35）と該空気通路（18）との間に跨りながら回転自在な円板状の蒸散ロータ（36）で構成され、その側面に上記複数の蒸散領域（37,38）が形成されており、上記蒸散量調節手段（40）は、上記蒸散ロータ（36）の回転角度位置を調節して、該蒸散ロータ（36）のうち空気通路（18）に露出する各蒸散領域（37,38）の面積の割合を調節することを特徴とするものである。
【００１１】
第２の発明では、蒸散部材が円板状の蒸散ロータ（36）で構成される。この蒸散ロータ（36）の側面には、蒸散用有用物（32b）の蒸散速度が異なる複数の蒸散領域（37,38）が形成される。蒸散ロータ（36）は、各蒸散領域（37,38）が空気通路（18）と収納空間（35）との間を変位するようにして、回転自在に支持されている。そして、蒸散量調節手段（40）は、この蒸散ロータ（36）をその回転方向に変位させることで、空気通路（18）を流れる空気に曝される各蒸散領域（37,38）の露出面積の割合を調節する。
【００１２】
具体的に、例えば蒸散ロータ（36）に蒸散速度が比較的速い第１蒸散領域（37）と、蒸散領域が比較的遅い第２蒸散領域（38）とを形成したとする。この場合、第１蒸散領域（37）が空気通路（18）側に位置するように蒸散ロータ（36）の回転角度位置を調節すると、第１蒸散領域（37）から空気通路（18）を流れる空気に向かって比較的速い速度で蒸散用有用物（32b）が蒸散する。従って、蒸散ロータ（36）の全体としての蒸散量が増大する。一方、第２蒸散領域（38）が空気通路（18）側に位置するように蒸散ロータ（36）の回転角度位置を調節すると、第２蒸散領域（38）から空気に向かって比較的遅い速度で蒸散用有用物（32b）が蒸散する。従って、蒸散ロータ（36）の全体としての蒸散量が減少する。
【００１３】
第３の発明は、第１又は第２の発明において、上記蒸散量調節手段（40）が、上記蒸散部材（32,36）を通過する空気の温度に基づいて、蒸散部材（32,36）の蒸散量を制御することを特徴とするものである。
【００１４】
第３の発明では、蒸散量調節手段（40）が空気の温度に応じて蒸散部材（32,36）の蒸散量を制御する。すなわち、蒸散用有用物（32b）の蒸散量は、蒸散部材（32,36）の周囲の空気温度に大きく影響を受ける。このため、空気通路（18）を流れる空気温度が変動してしまうと、蒸散部材（32,36）の蒸散量を所望の蒸散量とすることができない場合がある。そこで、第３の発明では、蒸散量調節手段（40）が、空気通路（18）を流れる空気温度を考慮しながら、蒸散部材（32,36）の蒸散量を制御する。その結果、空気温度が変動しても、蒸散部材（32,36）の蒸散量を所望の蒸散量に制御することができる。
【００１５】
第４の発明は、第１又は第２の発明において、上記蒸散量調節手段（40）が、上記蒸散部材（32,36）を通過する空気の風量に基づいて、蒸散部材（32,36）の蒸散量を制御することを特徴とするものである。
【００１６】
第４の発明では、蒸散量調節手段（40）が空気の風量に応じて蒸散部材（32,36）の蒸散量を制御する。すなわち、蒸散用有用物（32b）の蒸散量は、蒸散部材（32,36）の周囲を通過する空気の風量の影響を受ける。このため、空気通路（18）を流れる風量が変動すると、蒸散部材（32,36）の蒸散量を所望の蒸散量とすることができない場合がある。そこで、第４の発明では、蒸散量調節手段（40）が、空気の風量を考慮して、蒸散部材（32,36）の蒸散量を制御する。その結果、空気通路（18）を流れる空気の風量が変動しても、蒸散部材（32,36）の蒸散量を所望の蒸散量に制御することができる。
【００１７】
第５の発明は、第１又は第２の発明において、上記空気通路（18）を流れる空気中の有用ガス成分濃度を検知する濃度検知手段（43,44）を備え、上記蒸散量調節手段（40）が、上記濃度検知手段（43,44）の検知濃度に基づいて、上記蒸散部材（32,36）の蒸散量を制御することを特徴とするものである。
【００１８】
第５の発明では、空気通路（18）に濃度検知手段（43,44）が設けられる。この濃度検知手段（43,44）は、空気中の有用ガス成分濃度を検知する。蒸散量調節手段（40）は、濃度検知手段（43,44）の検知濃度を考慮して、蒸散部材（32,36）の蒸散量を制御する。従って、この蒸散装置から室内等へ供給される空気中の有用ガス成分濃度を所望とする濃度に制御することができる。
【００１９】
第６の発明は、第１乃至第５のいずれか１つの発明において、空気通路（18）内には、蒸散部材（32,36）の上流側に、室内の空調を行うために空気を温調する温調手段（22）が設けられていることを特徴とするものである。
【００２０】
第６の発明では、空気通路（18）に温調手段（22）が設けられ、蒸散装置に空調機能が付与される。ところで、このように空気通路（18）に温調手段（22）を配置する場合、仮に蒸散部材（32,36）の下流側に温調手段（22）を配置すると、蒸散部材（32,36）から発生した有用ガス成分を含んだ空気が温調手段（22）で冷やされると、この空気中の有用ガス成分が凝縮してしまったり、温調手段（22）から発生した凝縮水中に有用ガス成分が溶け込んでしまう可能性がある。このような場合には、その後に室内に供給される空気中の有用ガス成分濃度が低下してしまい好ましくない。そこで、本発明では、蒸散部材（32）の上流側に温調手段（22）を設けている。このため、本発明では、空気中の有用ガス成分濃度の低下を確実に回避できる。
【発明の効果】
【００２１】
第１の発明では、蒸散量調節手段（40）が、蒸散部材（36）に形成された各蒸散領域（37,38）の露出面積の割合を調節するようにしている。従って、本発明によれば、蒸散部材（36）の蒸散量をより高精度に制御することができる。
【００２２】
特に、第２の発明では、蒸散ロータ（36）の回転角度位置を調節することで、比較的単純な構成で蒸散部材（36）の蒸散量を高精度に制御することができる。また、本発明では、蒸散部材（36）の一部が常に収納空間（35）側に位置することになる。このため、蒸散部材（36）から過剰に蒸散用有用物（32b）が蒸散してしまうのを回避でき、蒸散ロータ（36）の交換頻度を低減できる。
【００２３】
第３の発明では、蒸散量調節手段（40）が、空気通路（18）を流れる空気温度に応じて、蒸散部材（32,36）の蒸散量を制御するようにしている。このため、蒸散装置の外部から空気通路（18）に取り込まれる空気の温度が変動しても、蒸散部材（32,36）の蒸散量を最適な蒸散量に制御することができる。従って、本発明によれば、蒸散装置から所望とする有用ガス成分を発生させることができる。
【００２４】
第４の発明では、蒸散量調節手段（40）が、空気通路（18）を流れる風量に応じて、蒸散部材（32,36）の蒸散量を制御するようにしている。このため、蒸散部材（32,36）を通過する空気の風量が変動しても、蒸散部材（32,36）の蒸散量を最適な蒸散量に制御することができる。従って、本発明によれば、蒸散装置から所望とする有用ガス成分を発生させることができる。
【００２５】
第５の発明では、蒸散量調節手段（40）が、空気通路（18）を流れる空気中の有用ガス成分濃度に応じて、蒸散部材（32,36）の蒸散量を制御するようにしている。従って、本発明によれば、蒸散装置から発生させる有用ガス成分濃度を所望とする濃度に制御することができる。
【００２６】
第６の発明では、蒸散装置に温調手段（22）を設けることで、この蒸散装置に空調機能を付与し、室内の空調を行うことができる。ここで、本発明では、温調手段（22）の下流側に蒸散部材（32,36）を配置するようにしている。このため、本発明によれば、蒸散部材（32,36）から発生した有用ガス成分が温調手段（22）の冷却に伴い凝縮しまったり、凝縮水中に溶け込んでしまうのを確実に回避することができる。
【発明を実施するための最良の形態】
【００２７】
以下、本発明の実施形態を図面に基づいて詳細に説明する。
【００２８】
《発明の参考形態》
本発明の前提となる参考形態に係る蒸散装置は、室内の空調を行う空調機能付きの蒸散装置であって、室内空間の側壁に取り付けられる、いわゆる壁掛け式の空気調和装置（10）を構成している。即ち、空気調和装置（10）は、室内の空調を行うと同時に有用ガス成分を含んだ空気を室内に供給する。また、この空気調和装置（10）は、冷房運転と暖房運転とが切換可能となっている。
【００２９】
図１に示すように、空気調和装置（10）は、横長の矩形状のケーシング（11）を備えている。ケーシング（11）には、その前側（図１における左側）に前面パネル（12）が、その上面側に上面パネル（13）がそれぞれ形成されている。前面パネル（12）には、その上部寄りに第１吸込口（14）が、その下部寄りに吹出口（15）が形成されている。また、上面パネル（13）には、第２吸込口（16）が形成されている。そして、ケーシング（11）の内部には、上記各吸込口（14,16）から上記吹出口（15）までの間に、室内空気が流れる空気通路（18）が形成されている。
【００３０】
また、空気調和装置（10）では、上記第１吸込口（14）の近傍に吸込温度センサ（41）が、上記吹出口（15）の近傍に吹出温度センサ（42）が設けられている。吸込温度センサ（41）は、第１吸込口（14）から導入された室内空気の温度を検知する。吹出温度センサ（42）は、吹出口（15）から室内へ供給される供給空気の温度を検知する。
【００３１】
ケーシング（11）内の空気通路（18）には、その上流側から下流側に向かって順に、プレフィルタ（21）、熱交換器（22）、ファン（23）、及び蒸散ユニット（30）が設けられている。
【００３２】
上記プレフィルタ（21）は、ケーシング（11）の内壁に沿うようにしながら、第１吸込口（14）及び第２吸込口（16）に跨って配置されている。プレフィルタ（21）は、各吸込口（14,16）から吸引される室内空気中の塵埃を捕集する。
【００３３】
上記熱交換器（22）は、いわゆるフィンアンドチューブ式の熱交換器で構成されている。この熱交換器（22）は、図示しない室外機と接続されており、冷媒が循環して冷凍サイクルを行う冷媒回路の一部を構成している。そして、熱交換器（22）は、冷媒の循環方向に応じて、蒸発器又は凝縮器として機能する。即ち、熱交換器（22）は、冷媒と空気とを熱交換させることで、空気を温調する温調手段を構成している。この熱交換器（22）の温調能力は、ユーザーが望む室内温度（設定温度）と、上述した吸込温度センサ（41）及び吹出温度センサ（42）の検出温度に応じて適宜調節される。
【００３４】
上記ファン（23）は、室内空気を搬送する送風手段を構成している。ファン（23）は、ケーシング（11）の左右方向に伸長するクロスフローファンで構成されている。
【００３５】
上記蒸散ユニット（30）は、吹出口（15）の近傍に形成されて空気を案内するガイド板（19）に支持されている。図２に示すように、蒸散ユニット（30）は、収納ケース（31）と、蒸散シート（32）と、ギア（33）と、モータ（34）と、コントローラ（39）とを備えている。
【００３６】
上記収納ケース（31）は、矩形状の容器で構成されており、その内部に収納空間（35）が形成されている。また、収納ケース（31）の底部側のカバー（31a）には、上記蒸散シート（32）が挿通される挿通口（31b）が開口している。
【００３７】
上記蒸散シート（32）は、空気中へ有用ガス成分を発生させる蒸散部材を構成している。蒸散シート（32）は、シート状の基材（32a）の表面全域に亘って蒸散用有用物となるマイクロカプセル（32b）が複数保持されて構成されている。マイクロカプセル（32b）は、球状のカプセル内に香り成分や薬剤成分等の有用ガス成分の発生源となる液状の有用物が内包されている。このカプセルには、複数の微細な連通孔が形成されており、カプセル内部の有用物が連通孔を介してカプセルの外部へ蒸散可能な構成となっている。以上のような蒸散シート（32）は、収納ケース（31）内で折り畳み可能に構成される一方、上記挿通口（31b）を介して収納空間（35）と空気通路（18）との間を進退自在に構成されている。
【００３８】
上記ギア（33）は、蒸散シート（32）の側端部と噛み合うように設けられている。モータ（34）によってギア（33）が駆動されると、蒸散シート（32）は、収納ケース（31）の挿通口（31b）を介して上下に進退する。
【００３９】
上記コントローラ（39）は、上記モータ（34）を制御するものである。このコントローラ（39）には、図１に示すように、上記吹出温度センサ（42）の検出温度信号が受信される。コントローラ（39）は、この吹出温度センサ（42）の検出温度に基づいて、モータ（34）を制御するように構成されている。以上のような蒸散ユニット（30）では、上記ギア（33）、モータ（34）、及びコントローラ（39）が、蒸散シート（32）の蒸散量を制御するための蒸散量調節手段（40）を構成している。
【００４０】
−運転動作−
次に、参考形態に係る空気調和装置（10）の運転動作について説明する。なお、以下には空気調和装置（10）の冷房運転を例示して説明する。
【００４１】
図１に示すように、空気調和装置（10）の運転時には、ファン（23）が運転状態となる。また、熱交換器（22）の内部には低圧の液冷媒が流通し、熱交換器（22）が蒸発器として機能する。
【００４２】
室内空気が第１吸込口（14）及び第２吸込口（16）から導入されると、この空気は空気通路（18）を流通する。空気通路（18）を流れる空気は、まず、プレフィルタ（21）を通過する。プレフィルタ（21）では、空気中の塵埃が捕集される。プレフィルタ（21）で塵埃が捕集された空気は、熱交換器（22）を通過する。熱交換器（22）では、空気から冷媒の蒸発熱が奪われ、この空気が冷却される。以上のようにして冷却された空気は、その後に蒸散ユニット（30）の近傍を通過する。
【００４３】
蒸散ユニット（30）では、吹出口（15）から吹き出される供給空気の温度に応じて蒸散シート（32）の露出面積が調節される。具体的に、例えばユーザーが設定温度を比較的低めに設定した場合、熱交換器（22）の冷却能力が大きくなり、蒸散ユニット（30）を流れる空気の温度は低くなる。このような状態で運転を続けると、蒸散シート（32）の蒸散量（蒸散シート（32）から単位時間あたりに蒸散する有用ガス成分の量）が不足してしまう。従って、コントローラ（39）が吹出温度センサ（42）の検知温度が低いと判定すると、このコントローラ（39）はモータ（34）を所定の回転角度だけ正回転させる。その結果、蒸散シート（32）は、ギア（33）に駆動されて図２の矢印ａの方向に繰り出され、蒸散シート（32）のうち空気通路（18）に露出する部分の面積が大きくなる。このため、蒸散ユニット（30）を流れる空気の温度が比較的低い温度であっても、蒸散シート（32）の蒸散量が不足してしまうことはない。
【００４４】
一方、例えばユーザーが設定温度を比較的高めに設定した場合、熱交換器（22）の冷却能力が小さくなり、蒸散ユニット（30）を流れる空気の温度は高くなる。このような状態で運転を続けると、蒸散シート（32）の蒸散量が過剰となってしまう。従って、コントローラ（39）が吹出温度センサ（42）の検知温度が高いと判定すると、このコントローラ（39）はモータ（34）を所定回転角度だけ逆回転させる。その結果、蒸散シート（32）は、ギア（33）に駆動されて図２の矢印ｂの方向に引き上げられ、蒸散シート（32）のうち空気通路（18）に露出する部分の面積が小さくなる。このため、蒸散ユニット（30）を通過する空気の温度が比較的高い温度であっても、蒸散シート（32）の蒸散量が過剰となることはない。
【００４５】
なお、以上のような蒸散量調節手段（40）による蒸散シート（32）の露出面積の調節制御は、熱交換器（22）で空気を加温する暖房運転や、各運転の立ち上げ時についても同様に行われる。このため、上述した冷房運転や暖房運転、あるいは各運転の立ち上げ時において、蒸散ユニット（30）を通過する空気の温度が変動しても、蒸散シート（32）の蒸散量を常に一定とすることができる。
【００４６】
−参考形態の効果−
以上のように、参考形態に係る空気調和装置（10）の蒸散ユニット（30）では、空気通路（18）を流れる空気に対する蒸散シート（32）の露出面積を調節することで、蒸散シート（32）の蒸散量を制御するようにしている。このため、従来の蒸散装置のようにヒータ等で蒸散量を制御するものと比較すると、参考形態の蒸散ユニット（30）では、高精度且つ高い応答性で蒸散シート（32）の蒸散量を制御することができる。また、上記参考形態によれば、蒸散量の制御にモータ（34）を適宜回転させるだけであるので、従来のヒータと比較して消費電力の削減を図ることができる。
【００４７】
また、上記参考形態では、蒸散ユニット（30）を流れる空気の温度を吹出温度センサ（42）で間接的に検知し、この吹出温度センサ（42）の検知温度に応じて蒸散シート（32）の蒸散量を制御するようにしている。このため、参考形態の空気調和装置（10）では、空調能力の変更に伴い、室内へ供給される有用ガス成分の量が変動してしまうのを回避できる。つまり、上記参考形態の空気調和装置（10）によれば、ユーザーが望む温度で室内の空調を行いながら、常に一定量の有用ガス成分を室内に供給することができる。従って、室内空間の快適性を確保しながら、最適な有用ガス成分濃度を含んだ室内空間を形成することができる。
【００４８】
更に、上記参考形態では、蒸散シート（32）の蒸散量が過剰となる場合に、蒸散シート（32）を収納ケース（31）内の収納空間に納めるようにしている。このため、蒸散シート（32）からの無駄な蒸散を抑えることができ、蒸散シート（32）に保持されたマイクロカプセル（32b）内の液分の過剰な消耗を抑えることができる。
【００４９】
《発明の実施形態１》
実施形態１に係る空気調和装置（10）は、上記参考形態と蒸散ユニット（30）の構成が異なるものである。図３に示すように、実施形態１の蒸散ユニット（30）は、参考形態の蒸散シート（32）と異なり、蒸散部材としての蒸散ロータ（36）を備えている。
【００５０】
蒸散ロータ（36）は、扁平な円板状の基材（36a）と、その軸心に一体的に連結されるロータ軸（36b）を備えている。また、基材（36a）には、その軸方向に複数の空気流通孔が形成されている。一方、実施形態１の収納ケース（31）のカバー（31a）には、蒸散ロータ（36）が貫通する開口が形成されており、カバー（31a）の開口部内壁に上記ロータ軸（36b）が回転自在に取り付けられている。以上のような構成により、蒸散ロータ（36）は、収納空間（35）と空気通路（18）とを跨るような配置で回転自在となっている。なお、この蒸散ロータ（36）では、その径方向の略半分が収納空間（35）に位置し、残りの半分が空気通路（18）に跨るように配置されている。
【００５１】
また、蒸散ロータ（36）には、空気の上流側の側面に、蒸散有用物の蒸散速度が異なる２つの蒸散領域（37,38）が形成されている。具体的に、蒸散ロータ（36）の上流側の側面には、その略半分に第１蒸散領域（37）が形成され、残りの略半分に第２蒸散領域（38）が形成されている。第１蒸散領域（37）には、参考形態と同様のマイクロカプセル（32b）が複数担持されている。この蒸散ロータ（36）の側面において、単位面積当たりのマイクロカプセル（32b）の担持量は、第２蒸散領域（38）よりも第１蒸散領域（37）の方が多くなっている。従って、同一雰囲気の条件下（空気の温度と流量とが同じ条件下）で各蒸散領域（37,38）の単位面積あたりの蒸散速度を比較した場合、この蒸散ロータ（36）では、第２蒸散領域（38）よりも第１蒸散領域（37）の方が蒸散速度が速くなっている。
【００５２】
一方、実施形態１のギア（33）は、蒸散ロータ（36）の周面と噛み合うように設けられている。モータ（34）によってギア（33）が駆動されると、蒸散ロータ（36）は、ロータ軸（36b）を軸心として回転する。
【００５３】
実施形態１のコントローラ（39）は、上記参考形態と同様、上記吹出温度センサ（42）の検出温度に基づいて、モータ（34）を制御する。以上のような蒸散ユニット（30）では、上記ギア（33）、モータ（34）、及びコントローラ（39）が、蒸散ロータ（36）の蒸散量を制御するための蒸散量調節手段（40）を構成している。
【００５４】
−運転動作−
例えば実施形態１の冷房運転では、上記参考形態と同様に、空気通路（18）を流れる空気が熱交換器（22）で冷却される。冷却された空気は、その後に蒸散ユニット（30）の近傍を流通する。
【００５５】
実施形態１の蒸散ユニット（30）では、吹出温度センサ（42）の温度に応じて蒸散ロータ（36）の回転角度が調節される。具体的に、例えば熱交換器（22）の冷却能力が小さくなり、蒸散ユニット（30）を通過する空気の温度が高くなると、コントローラ（39）は、蒸散ロータ（36）が図４のような位置となるように、モータ（34）を所定量だけ回転させる。その結果、空気通路（18）を流れる空気に対して、蒸散速度が比較的遅い第２蒸散領域（38）の露出面積の割合が増大する。このため、蒸散ユニット（30）を流れる空気の温度が比較的高い温度であっても、蒸散ロータ（36）の蒸散量が過剰となることはない。
【００５６】
一方、熱交換器（22）の冷却能力が大きくなり、蒸散ユニット（30）を通過する空気の温度が低くなると、コントローラ（39）は蒸散ロータ（36）が図３のような位置となるように、モータ（34）を所定量だけ回転させる。その結果、空気通路（18）を流れる空気に対して、蒸散速度が比較的速い第１蒸散領域（37）の露出面積の割合が増大する。このため、蒸散ユニット（30）を流れる空気の温度が比較的低い温度であっても、蒸散ロータ（36）の蒸散量が不足することはない。
【００５７】
なお、以上のようにして蒸散ロータ（36）の各蒸散領域（37,38）の露出面積の割合は、蒸散ロータ（36）の回転角度位置に応じて微調整が可能となる。つまり、蒸散ロータ（36）の回転角度位置を細かく調節するこで、蒸散ロータ（36）の蒸散量をより高精度に制御することができる。
【００５８】
逆に、蒸散ロータ（36）の回転角度位置を、空気調和装置（10）の運転（冷房運転と暖房運転）に応じて２段階に調節することもできる。即ち、室内への供給空気が比較的低温となる冷房運転では、図３に示すように空気通路（18）に第１蒸散領域（37）だけを露出させるようにし、室内への供給空気が比較的高温となる暖房運転では、図４に示すように空気通路（18）に第２蒸散領域（38）だけを露出させるようにしても良い。
【００５９】
更に、蒸散ロータ（36）には、蒸散速度の異なる３つ以上の蒸散領域を形成することもできる。また、このように蒸散速度の異なる蒸散領域（37,38）を形成する場合には、マイクロカプセル（32b）の担持量を変更する以外にも、例えば表面積の異なるマイクロカプセル（32b）を各蒸散領域（37,38）に担持させたり、上述の連通孔の孔径が異なるマイクロカプセル（32b）を各蒸散領域（37,38）に担持させるようにしても良い。
【００６０】
−実施形態１の効果−
上記実施形態１では、蒸散ロータ（36）に蒸散速度の異なる２つの蒸散領域（37,38）を形成している。そして、空気通路（18）を流れる空気に対する各蒸散領域（37,38）の露出面積の割合を蒸散ロータ（36）の回転角度に応じて調節することで、蒸散ロータ（36）の蒸散量を制御するようにしている。このため、蒸散ロータ（36）の回転角度位置に応じて、一層細かい精度で蒸散ロータ（36）の蒸散量を制御することができる。
【００６１】
また、上記実施形態１においても、蒸散ユニット（30）を流れる空気の温度を吹出温度センサ（42）で間接的に検知し、この吹出温度センサ（42）の検知温度に応じて蒸散ロータ（36）の蒸散量を制御するようにしている。このため、実施形態１の空気調和装置（10）においても、空調能力の変更に伴い、室内へ供給される有用ガス成分の量が変動してしまうのを回避できる。
【００６２】
−蒸散量調節手段によるその他の制御例−
上記実施形態１では、吹出温度センサ（42）の検知温度に応じて蒸散ユニット（30）の蒸散量を制御するようにしている。しかしながら、これ以外にも、以下のようにして蒸散部材（32,36）の蒸散量を制御するようにしても良い。
【００６３】
<制御例１>
図５に示すように、吸込温度センサ（41）の検知温度に応じて蒸散ユニット（30）の蒸散量を制御するようにしても良い。この場合には、空気通路（18）に導入された室内空気温度に基づいて、蒸散部材（32,36）の蒸散量を制御することができる。また、吸込温度センサ（41）の検知温度と、吹出温度センサ（42）の検知温度との双方を用いて蒸散部材（32,36）の蒸散量を制御するようにしても良い。
【００６４】
<制御例２>
図６に示すように、空気通路（18）内に風量が可変なファン（23）を設ける場合、このファン（23）の風量に応じて蒸散部材（32,36）の蒸散量を制御しても良い。即ち、蒸散部材（32,36）の蒸散量は、蒸散ユニット（30）を通過する空気の風量にも大きく影響を受けるので、制御例２の蒸散量調節手段（40）は、ファン（23）の設定風量に応じて、蒸散部材（32,36）の蒸散量を制御する。具体的に、ファン（23）が大風量である場合には、蒸散部材（32,36）の蒸散量が過剰となり易いので、このような場合には、蒸散量調節手段（40）が蒸散部材（32,36）の蒸散量を抑える制御を行う。また、ファン（23）が小風量である場合には、蒸散部材（32,36）の蒸散量が不足し易いので、このような場合には、蒸散量調節手段（40）が蒸散部材（32,36）の蒸散量を促す制御を行う。また、この蒸散量調節手段（40）によって、上記各温度センサ（41,42）の検知温度と、ファン（23）の風量との双方に基づいて蒸散部材（32,36）の蒸散量を制御するようにすると、蒸散部材（32,36）の蒸散量をより高精度に制御することが可能となる。
【００６５】
<制御例３>
図７に示すように、空気通路（18）内に、有用ガス成分の濃度を検知するための濃度検知手段（例えばにおいセンサ等）を配置し、濃度検知手段の検知濃度に応じて、蒸散ユニット（30）の蒸散量を制御しても良い。具体的に、例えば吸込口（14）に吸込側においセンサ（43）を設け、この吸込側においセンサ（43）の検知濃度が規定濃度となるように、蒸散部材（32,36）の蒸散量を制御するようにしても良い。この場合には、室内空間における有用ガス成分濃度を一定に保つことができる。また、例えば吹出口（15）に吹出側においセンサ（44）を設け、この吹出側においセンサ（44）の検知濃度が規定濃度となるように、蒸散部材（32,36）の蒸散量を制御するようにしても良い。この場合には、室内に向かって常に一定濃度の有用ガス成分を供給することができる。
【００６６】
《その他の実施形態》
上記実施形態については、以下のような構成としてもよい。
【００６７】
上記実施形態１では、空気通路（18）に温調手段としての熱交換器（22）が配置された空気調和装置（10）について、本発明に係る蒸散ユニット（30）を適用している。しかしながら、例えば図７に示すように、空調の機能を有さない蒸散装置（10）の空気通路（18）内に上記実施形態１の蒸散ユニット（30）を設け、室内に有用ガス成分を供給するようにしても良い。この場合にも、実施形態１の蒸散量調節手段（40）で蒸散ロータ（36）についての各蒸散領域（37,38）の露出面積の割合を調節することで、蒸散ユニット（30）の蒸散量を高精度に制御することができる。
【００６８】
また、この蒸散装置（10）の蒸散量調節手段（40）においても、各温度センサ（41,42）の検知温度や、ファン（23）の風量や、においセンサ（43,44）の検知濃度等に応じて、蒸散ユニット（30）の蒸散量を適宜制御するようにしても良い。
【００６９】
また、上述した実施形態では、有用ガス成分の発生源となる蒸散用有用物として、マイクロカプセル（32b）を用いている。しかしながら、この蒸散用有用物として、シート部材に香り成分や薬剤等の液をしみこませたものや、固形粒状のものを用いても良い。
【００７０】
更に、上述した実施形態では、吹出口（15）近傍の上側寄りのガイド板（19）に蒸散ユニット（30）を配置しているが、この蒸散ユニット（30）を下側のガイド板上に配置しても良いし、それ以外の箇所に配置しても良い。
【００７１】
なお、以上の実施形態は、本質的に好ましい例示であって、本発明、その適用物、あるいはその用途の範囲を制限することを意図するものではない。
【産業上の利用可能性】
【００７２】
以上説明したように、本発明は、蒸散部材に保持された蒸散用有用物から有用ガス成分を蒸散させる蒸散装置について有用である。
【図面の簡単な説明】
【００７３】
【図１】参考形態に係る蒸散装置の全体構成を示す縦断面図である。
【図２】参考形態に係る蒸散ユニットを拡大した縦断面図である。
【図３】実施形態１に係る蒸散ユニットを拡大した第１の縦断面図である。
【図４】実施形態１に係る蒸散ユニットを拡大した第２の縦断面図である。
【図５】その他の制御例１に係る蒸散装置の全体構成を示す縦断面図である。
【図６】その他の制御例２に係る蒸散装置の全体構成を示す縦断面図である。
【図７】その他の制御例３に係る蒸散装置の全体構成を示す縦断面図である。
【図８】その他の実施形態に係る蒸散装置の全体構成を示す縦断面図である。
【符号の説明】
【００７４】
10  蒸散装置
18  空気通路
32  蒸散シート（蒸散部材）
32b 蒸散用有用物
36  蒸散ロータ（蒸散ロータ）
35  収納空間
40  蒸散量調節手段
【図１】
0004779796.tif 000002
【図２】
0004779796.tif 000003
【図３】
0004779796.tif 000004
【図４】
0004779796.tif 000005
【図５】
0004779796.tif 000006
【図６】
0004779796.tif 000007
【図７】
0004779796.tif 000008
【図８】
0004779796.tif 000009